(57)【特許請求の範囲】
【請求項１】
ソファーであって、フレームとクッション部材及び表地を有し、フレームにクッション部材を取付け、その上から表地を取り付けてあり、
フレームは、座部フレームと背もたれ部フレームからなり、
クッション部材は、それぞれフレームに着脱自在な座部クッション部材と背部クッション部材とからなり、
表地は、座部を覆う座部表地と背もたれ部を覆う背もたれ部表地とからなり、
背もたれ部フレームの下枠には複数の取付片が幅方向に間隔を取って取り付けられ、取付片の先端にソファーの幅方向に長い帯状部材が取り付けられ、帯状部材の前端部は上下２枚に分かれ、それぞれの先端縁にスライドファスナーの片側部材が取り付けられており、
座部表地は少なくとも座部上面部に表地と裏地との間に化繊綿を挟んだ強い布地であり、
背もたれ部表地は少なくとも背もたれ部前面部に表地と裏地との間に化繊綿を挟んだ強い布地であり、
座部表地の前部は、座部クッション部材の前面を覆って座部フレーム又は座部クッション部材に着脱自在に取り付けられ、
背もたれ部表地の上部は、背もたれ部の上面を覆って背もたれ部フレームに着脱自在に取り付けられ、
座部表地の後部及び背もたれ部表地の下部は共に座部クッション部材後部と背部クッション部材下部との間から後方へ引き出され、それぞれにスライドファスナーの他側部材が取り付けられており、
スライドファスナーの他側部材を前記帯状部材のスライドファスナー片に係合させて背もたれ部フレームの下枠における複数の取付片によって、座部表地と背もたれ部表地とが引っ張り調整された状態で背もたれフレームの下枠に取り付けられていることを特徴としたソファー。
【発明の詳細な説明】
【技術分野】
【０００１】
本発明は、クッション部材及び表地を交換可能としたソファーに関する。
【背景技術】
【０００２】
一般的なソファーは、木枠フレームにバネ材やクッション部材を固定し、その表面を表地で覆い、表地の縁を引っ張って表地に張りを持たせ木枠フレームに釘等で固定して形成されている。このため、表地が汚れたり、クッション部材が傷んだ場合などの張替えや部材交換には、工場へ運んで専門技術を有する職人に依頼することになるため、高額な費用と長期の修理期間を要する。
従って、張替えや部材交換を行わずに廃棄されるソファーも多数ある。
【０００３】
また、表地の張替えが容易でないことから、表地をそのままにしてソファー全体を着脱可能なカバーで覆うことが多く行われている。このようにカバーで覆うと、カバーだけを外して洗濯したり、部屋の壁紙、カーテン等内装や、季節に合わせたカバーに変えることもできる。
しかし、単にソファー形状とは異なる大きめのカバーを被せるだけなので、ソファーの重要な価値である本来のデザインを壊すことになり、また、ソファー自体の通気性、保温性等の機能を変更することはできず、表地やクッション部材に沁み通った汚れやダニを除去することも、破損した部品を簡単に交換することもできなかった。
【０００４】
面ファスナーが出現したことによって、表地をフレームに固定する際に鋲や釘を使用することなく面ファスナーによって止めたソファーが一般に「カバーリングソファー」等と称されて流通し、表地を面ファスナーで取付けていることから、表地の取外しや、洗濯、交換を簡単にできる効果があるとされている。
しかし、面ファスナーを使用する製造方法は、ソファーの生産効率を上げることに主な目的があって、大型なソファーから肘掛部などの形状が複雑な表地の着脱は容易ではなく、また、季節に合わせてソファー自体の機能を変化させることは、表地の交換だけでは実現されていなかった。
【０００５】
また、従来、バックレストとアームレストで囲まれた中央凹部に挿通具を設け、挿通具を通るロープのループ部に、ソファー全体を覆うジャケットを着脱可能に係止する留め具を設けたソファーが知られている（特許文献１）。
上記従来のソファーでは、ジャケットの座部を覆う部分、バックレストを覆う部分及びアームレストを覆う部分が連続して形成され、中央凹部に設けた留め具で係止されているので、ジャケットを美しく緊張させて張るのが難しく、また、ソファーに人が座ると、ジャケットが緩んで皺になりやすい。
【先行技術文献】
【特許文献】
【０００６】
【特許文献１】実公平７-２５０８３号公報
【発明の概要】
【発明が解決しようとする課題】
【０００７】
本発明が解決しようとする課題は、表地或いはクッション部材の交換が容易であって、破損した部品の交換ばかりでなく、全体のデザインや機能を季節や内装に合わせて容易に変更することができ、表地が美しく張られて緩み難いソファーを提供することにある。
【課題を解決するための手段】
【０００８】
本発明のソファーは、フレームとクッション部材及び表地を有し、フレームにクッション部材を取付け、その上から表地を取り付けてあり、フレームは、座部フレームと背もたれ部フレームからなり、クッション部材は、それぞれフレームに着脱自在な座部クッション部材と背部クッション部材とからなり、表地は、座部を覆う座部表地と背もたれ部を覆う背もたれ部表地とからなり、座部表地の前部は、座部クッション部材の前面を覆って座部フレーム又は座部クッション部材に着脱自在に取り付けられ、背もたれ部表地の上部は、背もたれ部の上面を覆って背もたれ部フレームに着脱自在に取り付けられ、座部表地の後部及び背もたれ部表地の下部は共に座部クッション部材後部と背部クッション部材下部との間から後方へ引き出され、引っ張り状態でフレームに取り付けられている。
【０００９】
ソファー背面側において前記フレームにソファーの幅方向に長い横棒を設け、前記座部表地の後端及び前記背もたれ部表地の前面部下端に引っ掛け具を設け、該引っ掛け具を前記横棒に着脱自在に係止することがある。
或いは、ソファー背面側において前記フレームにフレーム側ベルトを設け、前記座部表地の後端及び前記背もたれ部表地の前面部下端に表地側ベルトを設け、前記表地側ベルトとフレーム側ベルトをバックルによって着脱自在に連結することもできる。
【００１０】
クッション部材は、多数の通孔を有する軟質発泡ウレタン製の表層と、多数のコイルスプリングを配置した裏層との間に、椰子繊維を素材とする中層を挟んだ三層構造の緩衝材を備えることがある。
肘掛部フレームを有する肘掛部を備え、前記肘掛部フレームに肘掛部表地を着脱自在に取り付けてもよい。
表地の裏面にパッドを取り付け、該パッドの形状を変えることによりソファー形状を変更可能としてもよい。
【発明の効果】
【００１１】
クッション部材をフレームに着脱自在に取り付けると共に、表地をフレーム又はクッション部材に着脱自在に取り付けてあり、専門技術を持つ職人でなくても簡単にクッション部材や表地の交換を行うことができるので、季節や内装に合わせて、ソファーの外観だけではなく通気性、保温性等の機能を容易に変えることができ、クッション部材や表地が汚れたり破損した場合にも、簡単に洗濯や部品交換を行うことができる。
パッドを入れて形状に変化を持たせた表地に交換することによって、デザインを形成している木枠フレームをそのままにして立体形状も含めたソファー全体のデザインの変更を容易にすることができ、
座部表地の後端及び背もたれ部表地の前面部下端を座部と背もたれ部の間を通してソファー背面側に引っ張って取り付けてあるため、座部表地及び背もたれ部表地を皺が寄らないよう緊張させて美しく張ることができ、座部に人が座っても座部表地及び背もたれ部表地が緩み難い。
【図面の簡単な説明】
【００１２】
【図１】本発明の実施例１を示すソファーの一部を破断した斜視図である。
【図２】本発明の実施例１に係るフレーム及びクッション部材の背面側からみた斜視図である。
【図３】本発明の実施例１を示すソファーの断面図である。
【図４】本発明の実施例１に係る座部クッション部材の斜視図である。
【図５】本発明の実施例１に係る前垂れ部上端及び座部表地前端の取付部分の斜視図である。
【図６】本発明の実施例１を示すソファーの背面側から見た一部破断斜視図である。
【図７】本発明の実施例２に係るフレーム及びクッション部材の背面側からみた斜視図である。
【図８】本発明の実施例２を示すソファーの背面側から見た一部破断斜視図である。
【図９】本発明の実施例３に係るフレーム及びクッション部材の背面側からみた斜視図である。
【図１０】本発明の実施例３に係る背もたれ部表地の前面部下端及び座部表地後端の取付部分の斜視図である。
【図１１】本発明の実施例４を示すソファーの要部斜視図である。
【図１２】本発明の実施例４に係る肘掛部表地の斜視図である。
【図１３】本発明の実施例４を示すソファーの要部断面図である。
【発明を実施するための形態】
【００１３】
以下、本発明の実施例を図面に基づいて詳細に説明する。
図１〜図６は、本発明の実施例１を示す。
実施例１のソファーは、二人掛け用であり、図１〜図３に示すように、座部１と背もたれ部２を備え、全体の土台をなすフレーム３と、座部１及び背もたれ部２のフレーム３に取り付けたクッション部材４と、表面を覆う表地５によって構成される。
フレーム３は、木材等を素材とし、水平な基台となる座部フレーム６と、座部フレーム６の後端部に起立した背もたれ部フレーム７から成る。
座部フレーム６の下面の幅方向両側部には脚部４０を取り付けてある。座部フレーム６の上面の両側部及び中間部には、クッション部材４を取り付けるための面ファスナー２１を設けてある。
【００１４】
背もたれ部フレーム７は、図２に示すように、下枠８及び上枠９の両端間に側枠１０を架設すると共に、幅方向の中間部間に中間枠１１を架設し、図示しないが、左右の側枠１０間に適宜横桟を配置してある。また、背もたれ部フレーム７の前面上部には、上端に近付くに従って後方へ向かうよう緩やかに傾斜した背もたれ部前面板５０を取り付けてある。
背もたれ部前面板５０は通気性のある素材であり、板状体のほかベルトを等間隔に張ることもある。
背もたれ部フレーム７の上枠９の背面には、背部クッション部材１３を取り付けるための面ファスナー３１を設けてある。
背もたれ部フレーム７の下枠８の左右両側部及び中間部には、それぞれフレーム側ベルト２２を取り付けると共に、フレーム側ベルト２２の先端にバックルの片側部材２３ａを装着してある。
また、左右の側枠１０の対向する側面には、短い縦支柱２４を固定してある。
【００１５】
クッション部材４は、図１及び図３に示すように、座部フレーム６上に載置される座部クッション部材１２と、座部クッション部材１２の上面に載せて、背もたれ部フレーム７の前面に配置される背部クッション部材１３から成る。座部クッション部材１２及び背部クッション部材１３は、対応人数分の横幅を確保して横に並べて設置される。
【００１６】
座部クッション部材１２は、図３及び図４に示すように、収納する緩衝材の出し入れを可能に形成した外袋１４と、外袋１４の内部に収納された緩衝材１５とで構成される。
外袋１４は、帆布等の強靭な布を素材とし、上下面及び前面が開口した箱状の布枠１６と、布枠１６の開口面を閉鎖する通気性のある網地１７で形成される（図４）。
緩衝材１５は、多数の通孔を有する軟質発泡ウレタンや粗い繊維質の層からなる表層１８と、多数のコイルスプリングを配置した裏層１９で、椰子繊維を素材とする中層２０を挟んだ三層構造としてある（図３）。
【００１７】
図４に示すように、各座部クッション部材１２の下面両側部には、座部フレーム６の上面の面ファスナー２１と着脱自在に係合する面ファスナー２１’を設けてあり、座部クッション部材１２の外側面には、表地５を固定するための面ファスナー２９を設けてある。
【００１８】
背部クッション部材１３は、座部クッション部材１２とほぼ同様の構造を有し、収納する緩衝材の出し入れを可能に形成した外袋の布枠は、前後の開口を通気性のある網地で閉鎖している。また、図２に示すように、背部クッション部材１３の上面部には背もたれ部フレーム７の背面側に延びる延出片３０が連続して形成され、延出片３０の裏面に上枠９の面ファスナー３１と着脱自在に係合する面ファスナー３１’を設けてある。
背部クッション部材１３の側面部（ソファーの両側となる面）の下部には背もたれ部フレーム７の背面側に延びる固定用ベルト３２を設け、固定用ベルト３２の先端に、背もたれ部フレーム７の縦支柱２４と着脱自在に係合するフック部材３３を取り付けてある。
背部クッション部材１３の上端面及び外側面には、表地５を固定するための面ファスナー３４を設けてある。
【００１９】
図３に示すように、表地５は、座部１を覆う座部表地３５と、背もたれ部２の上端に係合して背もたれ部２の前面、側面及び背面を覆う背もたれ部表地３６とから成る。
座部表地３５は、少なくとも座部上面部に表地と裏地の間に化繊綿を挟んだ強い布地を用いて、座部クッション部材１２の前面、側面及び上面を覆う形状に縫製される。座部クッション部材１２の上面部及び前面部の裏面要所には、軟質発泡ウレタンシート等より成るパッド３７を面ファスナー等で着脱可能に取り付けてある。
座部表地３５の側面部の裏面には、座部クッション部材１２の外側面に設けた面ファスナー２９と着脱自在に係合する面ファスナー２９’を取り付けてある（図６）。
【００２０】
座部表地３５は、図３に示すように、その前端部は、座部クッション部材１２と座部フレーム６の間に挿入され、後部は、座部クッション部材１２の後部と背もたれ部クッション部材１３の下部との間を通してソファー背面側に差し込まれる。
座部表地３５の前端縁には、図５に示すように、座部クッション部材１２の下面に設けた前端部が上下２枚に分かれる帯状の連結部材２６に設けた上側のスライドファスナー片側部材２７ａと着脱自在に係合するスライドファスナー他側部材２７ｂを装着してある。そして、スライドファスナー片側部材２７ａと他側部材２７ｂを係合することにより、座部表地３５の前端は、座部クッション部材１２の前面を覆って座部クッション部材１２の下面に取り付けられる。
【００２１】
図５に示すように、座部表地３５の前面部の下方には、座部フレーム６の前面を覆う前垂れ部３８を設置する。前垂れ部３８の上端部は、座部フレーム６と座部クッション部材１２の間に挿入され、その先端縁には、帯状の連結部材２６に設けた下側のスライドファスナー片側部材２８ａと着脱自在に係合するスライドファスナー他側部材２８ｂを装着してある。
そして、スライドファスナー片側部材２８ａと他側部材２８ｂを係合することにより、前垂れ部３８の上端部が座部クッション部材１２の下面に取り付けられ、前垂れ部３８が座部表地３５の前面部の下方に垂れ下がる。
【００２２】
背もたれ部表地３６は、少なくとも背もたれ部前面に表地と裏地の間に化繊綿を挟んだ強い布地を用い、座部表地３５と同じ生地とする他、異なる素材、異なる色彩の生地を用いることができる。図３に示すように、背もたれ部表地３６の前面部、上面部及び側面部の裏面要所には、軟質発泡ウレタンシート等より成るパッド３７’を面ファスナー等で着脱可能に取り付けてある。また、背もたれ部表地３６の上面部及び側面部の裏面には、背部クッション部材１３の上端面に設けた面ファスナー３４と着脱自在に係合する面ファスナー３４’を設けてある（図６）。
背もたれ部表地３６の背面部の下端は、図示しないフック部材、ベルト等により背もたれ部フレーム７の背面側においてフレーム３の下枠８等に着脱自在に取り付けられる。
図３、図６に示すように、背もたれ部表地３６の前面部の下部は、座部クッション部材１２と背もたれ部クッション部材１３の間を通してソファー背面側に差し込まれる。
また、背もたれ部表地３６の前面部下端と座部表地３５の後端には表地側ベルト４１を幅方向に間隔をとって設けてあり、表地側ベルト４１の先端にはバックルの他側部材２３ｂを固定してある。
【００２３】
従って、背もたれ部表地３６の上端を背もたれ部フレーム７の上端に取り付け、座部表地３５の前端を座部クッション部材１２の下面に取り付けてから、背もたれ部表地３６の前面部下端及び座部表地３５の後端を座部クッション部材１２と背もたれ部クッション部材１３の間に差し入れ、表地側ベルト４１をソファー背面側へ引っ張り、表地側ベルト４１の先端部に設けたバックルの他側部材２３ｂをバックルの片側部材２３ａに係合すると、背もたれ部表地３６の前面部及び座部表地３５の上面部を皺なく緊張させて取り付けることができる。
【００２４】
なお、座部表地３５の前端及び前垂れ部３８の上端を座部クッション部材１２の下面に取り付けてから、座部クッション部材１２を座部フレーム６の上面に設置する。
また、逆の手順で、表地５及びクッション部材４をフレーム３から取り外し、表地５とクッション部材４を分離することができる。
座部表地３５の上面部及び前面部の裏面要所にはパッド３７を着脱可能に取り付け、背もたれ部表地３６の前面部、上面部及び側面部の裏面要所にはパッド３７’を着脱可能に取り付けてあるので、パッド３７，３７’を別の形状のものと交換することにより、フレーム３に関係なく、ソファー全体の形状を変更できる。
フレーム側ベルト２２及び表地側ベルト４１の数は、座部表地３５の上面部及び背もたれ部表地３６の前面部を均等に引っ張ることができるよう、ソファーの幅方向の寸法に応じて任意に選択する。
【００２５】
図７及び図８は、本発明の実施例２を示す。
実施例２では、ソファーの背面側の下部において、背もたれ部フレーム７の両側の側枠１０の間に横棒４６を架設してある。
また、座部表地の後端部及び背もたれ部表地の前面部下端にゴムベルト４７を介して複数の引っ掛け具４８を幅方向に間隔をとって固定してある。
そして、座部表地の後端部及び背もたれ部表地の前面部下端を、座部クッション部材１２と背もたれ部クッション部材１３の間を通してソファー背面側へ差し込んで、ゴムベルト４７を引っ張り引っ掛け具４８を横棒４６に着脱自在に係止することにより、背もたれ部表地３６の前面部及び座部表地３５の上面部を緊張させて張ることができる。
その他の構造は、実施例１と同様なので、対応する部分に共通の符号を付して詳細な説明は省略する。
【００２６】
図９及び図１０は、本発明の実施例３を示す。
実施例３では、背もたれ部フレーム７の下枠８に複数の取付片４２を幅方向に間隔をとって縫着し、取付片４２の先端にソファーの幅方向に長い帯状部材４３を取り付けてある。帯状部材４３の前端部は上下２枚に分かれ、それぞれの先端縁に沿ってスライドファスナーの片側部材４４ａ，４５ａを縫着してある。
背もたれ部表地３６の前面部下端及び座部表地３５の後端は、座部クッション部材１２と背もたれ部クッション部材１３の間を通してソファー背面側に差し込まれ、その先端縁に、それぞれスライドファスナーの片側部材４４ａ，４５ａと着脱自在に係合するスライドファスナーの他側部材４４ｂ，４５ｂを取り付けてある。
背もたれ部表地３６の前面部下端及び座部表地３５の後端をソファー背面側に引っ張り、スライドファスナーの片側部材４４ａ，４５ａと他側部材４４ｂ，４５ｂを係合することにより、背もたれ部表地３６の前面部及び座部表地３５の上面部を緊張させて張ることができる。
その他の構造は、実施例１又は実施例２と同様である。
【００２７】
図１１〜図１３は、本発明の実施例４を示す。
実施例４のソファーは、図１１に示すように、座部１の両側に肘掛部５１を備える。肘掛部５１は肘掛部フレーム５２（図１３）を有する。肘掛部フレーム５２は外枠の内部に桟材を架設した枠構造に形成され、肘掛部フレーム５２の下端部を座部フレーム６の外側面に取り付けてある。肘掛部フレーム５２の下端部と座部フレーム６の外側面との間には、上下に貫通する間隙５７が形成される。
肘掛部フレーム５２には肘掛部表地５３を着脱自在に取り付けてある。肘掛部表地５３は、肘掛部５１の外側面、内側面、上下面及び前後面を覆う袋状に形成されており、座部表地３５及び背もたれ部表地３６と同じ生地を用いる他、異なる素材、異なる色彩の生地を用いることができる。また、図示しないが、肘掛部表地５３の裏面要所には、軟質発泡ウレタンシート等より成るパッドを面ファスナー等で着脱可能に取り付けてある。
【００２８】
図１２に示すように、肘掛部５１の内側面を覆う肘掛部表地５３の内面部の下端部には、肘掛部表地５３の内部に肘掛部フレーム５２を出し入れするための開口部５４が形成される。
開口部５４の上方において肘掛部表地５３の内面部には、複数の伸縮テープ５５の基端部が前後方向に間隔をとって固定され、伸縮テープ５５の先端部にスナップボタン等の固定具の一方部材５６ａが装着されている。肘掛部表地５３の下面部裏面には固定具の他方部材５６ｂが一方部材５６ａと対応する位置に装着されている。
肘掛部表地５３を肘掛部フレーム５２に取り付けるには、開口部５４を通して肘掛部フレーム５４の外面に肘掛部表地５３を被せ、伸縮テープ５５を肘掛部フレーム５２と座部フレーム６との間隙に上から下へ通し、固定具の一方部材５６ａと他方部材５６ｂを係合する。
その他の構造は実施例１〜実施例３のいずれかと同様である。
【００２９】
なお、ソファーの細部の構造は、上記実施例に限定されない。
例えば、ソファーは二人掛け用に限定されず、背もたれ部表地及び座部表地を座席毎に分割して、スライドファスナー等により互いに接合できるようにしても良い。
また、実施例１において、背もたれ部表地３６の前面部下端と座部表地３５の上面部後端をスライドファスナー等で着脱自在に連結し、連結した背面側の端部に表地側ベルト４１を設けて、その先端のバックル他側部材２３ｂをフレーム側ベルト２２のバックル片側部材２３ａに係合することにより、背もたれ部表地３６の前面部及び座部表地３５の上面部を皺なく緊張させて取り付けることもできる。
実施例３において、背もたれ部フレーム７に設けた先端が二股に分岐した１枚の帯状部材４３に代えて座部クッション部材の背面に２枚の帯状部材を固定し、各帯状部材の先端縁にスライドファスナーの片側部材を縫着して、各帯状部材にそれぞれ背もたれ部表地の前面部下端及び座部表地の上面部後端をスライドファスナーを介して接合することも可能である。
【００３０】
図２に示す実施例では、背部クッション部材１３の外側面下部のみを背もたれ部フレーム７の側枠１０の縦支柱２４に連結してあるが、さらに、背部クッション部材の内側面（ソファーの中央側の面）の下部も面ファスナー等で背もたれ部フレームに連結するとよい。
また、背もたれ部フレームの背面に、ソファーの内部と外部とを連通する換気部分をソファーの幅方向に沿って設けても良い。この場合、背もたれ部表地の背面部に換気部分を露出させる開口を設ける。
【符号の説明】
【００３１】
１    座部
２    背もたれ部
３    フレーム
４    クッション部材
５    表地
６    座部フレーム
７    背もたれ部フレーム
８    下枠
９    上枠
１０  側枠
１１  中間枠
１２  座部クッション部材
１３  背部クッション部材
１４  外袋
１５  緩衝材
１６  布枠
１７  網地
１８  表層
１９  裏層
２０  中層
２１，２１’  面ファスナー
２２  フレーム側ベルト
２３ａ  バックルの片側部材
２３ｂ  バックルの他側部材
２４  縦支柱
２６  連結部材
２７ａ，２８ａ  スライドファスナー片側部材
２７ｂ，２８ｂ  スライドファスナー他側部材
２９，２９’  面ファスナー
３０  延出片
３１，３１’  面ファスナー
３２  固定用ベルト
３３  フック部材
３４，３４’  面ファスナー
３５  座部表地
３６  背もたれ部表地
３７，３７’  パッド
３８  前垂れ部
４０  脚部
４１  表地側ベルト
４２  取付片
４３  帯状部材
４４ａ，４５ａ  スライドファスナーの片側部材
４４ｂ，４５ｂ  スライドファスナーの他側部材
４６  横棒
４７  ゴムベルト
４８  引っ掛け具
５０  背もたれ部前面板
５１  肘掛部
５２  肘掛部フレーム
５３  肘掛部表地
５４  開口部
５５  伸縮テープ
５６ａ  固定具の一方部材
５６ｂ  固定具の他方部材
５７  間隙
【図１】
0006019521.tif 000002
【図２】
0006019521.tif 000003
【図３】
0006019521.tif 000004
【図４】
0006019521.tif 000005
【図５】
0006019521.tif 000006
【図６】
0006019521.tif 000007
【図７】
0006019521.tif 000008
【図８】
0006019521.tif 000009
【図９】
0006019521.tif 000010
【図１０】
0006019521.tif 000011
【図１１】
0006019521.tif 000012
【図１２】
0006019521.tif 000013
【図１３】
0006019521.tif 000014